(57)【特許請求の範囲】
【請求項１】
上部に吸引手段を有する下方が開放されたフード体と、該フード体の開放面を覆う、外周部に吸気孔を有する整流板と、前記吸気孔と対向するようにして、前記フード体内部の外周部に設けられ、前記吸気孔より吸入した空気を衝突させて下向きに方向転換させる下向傾斜の気流偏向板とを備え、該気流偏向板により捕捉された油分等を前記整流板の上面に滴下させるようにしたレンジフードにおいて、
前記気流偏向板における吸入空気の流動方向側の端部に、上端に前記吸引手段方向に開口する通気孔を有する上向き傾斜のインナーフードを設けるとともに、少なくとも前部と両側部の気流偏向板における吸入空気の流動方向と反対側の端部に、下端が整流板の外端部上面と対向する垂下片を連設し、前記垂下片の下端に、斜め外上方を向く傾斜片を連設し、この傾斜片の上端部の下面に、後端部を支点として上下方向に開閉可能とした整流板の外周端に連設した起立片の上端を当接させたことを特徴とするレンジフード。
【請求項２】
前記気流偏向板における傾斜下端を、前記吸気孔から外れた位置に設けたことを特徴とする請求項１に記載のレンジフード。
【請求項３】
前記気流偏向板と前記インナーフードとを一体的に成形したことを特徴とする請求項１または２に記載のレンジフード。
【請求項４】
前記気流偏向板の下面を、凹凸部が吸入空気の流動方向と直交する方向を向く波形面としてなることを特徴とする請求項１ないし３のいずれかに記載のレンジフード。
【請求項５】
前記整流板を後ろ下方に傾斜させるとともに、少なくとも一部の左右両側部を漸次下向きに傾斜させることにより、その傾斜下端の上面に、後端部の左右方向の中央部に穿設した回収孔に向かって延びる後ろ下方に傾斜する凹条溝を形成し、前記回収孔の下方に油分回収手段を設けたことを特徴とする請求項１ないし４のいずれかに記載レンジフード。
【請求項６】
前記整流板の吸気孔の開口縁に、上向きの縁片を連設したことを特徴とする請求項１ないし５のいずれかに記載のレンジフード。
【発明の詳細な説明】
【技術分野】
【０００１】
本発明は、調理の際に発生する油煙等に含まれる油分や水分を、フィルタを使用することなく捕捉して除去しうるようにしたフィルタレスのレンジフードに関する。
【背景技術】
【０００２】
この種のレンジフードとしては、例えば特許文献１に記載されているように、本願の出願人が先に特許出願しているものがある。
【０００３】
【特許文献１】特開２００５−２２６９１５号公報
【発明の開示】
【発明が解決しようとする課題】
【０００４】
上記特許文献１に記載されているレンジフードにおいては、整流板(覆板)の吸気孔より吸入した空気を衝突させて油分等を捕捉する気流偏向板(排ガス衝突板)を、単にフード体の下端部の内部に設けただけであるので、気流偏向板により捕捉し切れなかった油分等がフード体奥部の内面に付着すると、付着した油分等を拭き取るなどの清掃作業が面倒で手間がかかるという問題がある。また、長期間清掃を忘れると、付着した油分等がフード体の内面に沿って下方に流動する恐れもある。
【０００５】
本発明は、上記問題点を解決するためになされたもので、気流偏向板により捕捉し切れなかった油分等がフード体の内面に付着するのを防止するとともに、清掃作業も容易に行い得るようにしたレンジフードを提供することを目的としている。
【課題を解決するための手段】
【０００６】
上記課題を解決するために、本発明の請求項１に記載のレンジフードは、上部に吸引手段を有する下方が開放されたフード体と、該フード体の開放面を覆う、外周部に吸気孔を有する整流板と、前記吸気孔と対向するようにして、前記フード体内部の外周部に設けられ、前記吸気孔より吸入した空気を衝突させて下向きに方向転換させる下向傾斜の気流偏向板とを備え、該気流偏向板により捕捉された油分等を前記整流板の上面に滴下させるようにしたレンジフードにおいて、
前記気流偏向板における吸入空気の流動方向側の端部に、上端に前記吸引手段方向に開口する通気孔を有する上向き傾斜のインナーフードを設けるとともに、少なくとも前部と両側部の気流偏向板における吸入空気の流動方向と反対側の端部に、下端が整流板の外端部上面と対向する垂下片を連設し、前記垂下片の下端に、斜め外上方を向く傾斜片を連設し、この傾斜片の上端部の下面に、後端部を支点として上下方向に開閉可能とした整流板の外周端に連設した起立片の上端を当接させたことを特徴としている。
この特徴によれば、気流偏向板により一旦下方に方向転換された吸入空気は、上向きに傾斜するインナーフードの内面に沿って吸引手段方向に流動する。従って、気流偏向板により捕捉し切れなかった油分等は、インナーフードの内面に付着するようになり、フード体の内面に付着するのが防止される。インナーフードに付着した油分等は、整流板を開いて下方から拭き取るなど、容易に清掃することができる。
また、気流偏向板に衝突した吸入空気が、流動方向と反対側に向かって流れた際でも、その空気に含まれる油分等は垂下片に付着して捕捉されるとともに、捕捉された油分等は、垂下片の下端から整流板の上面に滴下するため、下方への落下が防止される。更に垂下片に付着した油分は、その下端より滴下し、斜め前上方を向く傾斜片には付着しないので、傾斜片の上端部の下面に当接させた整流板の起立片はもとより、整流板の上面にも油分等が付着することがなく、従って、整流板の前端部及び両側端部に付着した油分等により、整流板が開閉しにくくなるのを防止することができる。
【０００８】
本発明の請求項２に記載のレンジフードは、請求項１に記載のレンジフードであって、
前記気流偏向板における傾斜下端を、前記吸気孔から外れた位置に設けたことを特徴としている。
この特徴によれば、気流偏向板により捕捉された油分等が、その傾斜下端から整流板の上面に滴下しても、吸気孔内に入り込むことがなくなる。
【０００９】
本発明の請求項３に記載のレンジフードは、請求項１または２に記載のレンジフードであって、
前記気流偏向板と前記インナーフードとを一体的に成形したことを特徴としている。
この特徴によれば、部品点数や組付工数が削減されるとともに、気流偏向板とインナーフードとが連続し、段差が形成されないので、拭き掃除等が容易となる。
【００１０】
本発明の請求項４に記載のレンジフードは、請求項１ないし３のいずれかに記載のレンジフードであって、
前記気流偏向板の下面を、凹凸部が吸入空気の流動方向と直交する方向を向く波形面としてなることを特徴としている。
この特徴によれば、気流偏向板に衝突した吸入空気に含まれる油分等が、波形面により効果的に捕捉されるようになる。
【００１１】
本発明の請求項５に記載のレンジフードは、請求項１ないし４のいずれかに記載のレンジフードであって、
前記整流板を後ろ下方に傾斜させるとともに、少なくとも一部の左右両側部を漸次下向きに傾斜させることにより、その傾斜下端の上面に、後端部の左右方向の中央部に穿設した回収孔に向かって延びる後ろ下方に傾斜する凹条溝を形成し、前記回収孔の下方に油分回収手段を設けたことを特徴としている。
この特徴によれば、整流板の上面に滴下した油分は、その上面に形成された後ろ下方に傾斜する凹条溝に流動して集められ、かつ凹条溝に沿って後方に流動して後端部の回収孔に流入し、その下方の油分回収手段により速やかに回収される。
【００１２】
本発明の請求項６に記載のレンジフードは、請求項１ないし５のいずれかに記載のレンジフードであって、
前記整流板の吸気孔の開口縁に、上向きの縁片を連設したことを特徴としている。
この特徴によれば、縁片により、整流板の上面に滴下した油分が吸気孔に入り込むのを阻止することができる。
【発明を実施するための最良の形態】
【００１３】
以下、本発明の実施形態を、図面に基づいて説明する。図１は、本発明のレンジフードを斜め下方より見た斜視図、図２は、同じく中央縦断拡大側面図である。以下、図２の左方を前として説明する。
【００１４】
フィルタレスレンジフード(以下、レンジフードと略称する)１は、下面が解放された扁平な方形箱状のフード体２と、その上面板２ａの中央部に形成された通気孔３を覆うようにして下端が固着され、内部に吸引手段である吸引ファン４が設けられた箱状の吸引ケース体５とを備えている。
【００１５】
フード体２の解放部６のやや上方寄りには、解放面を覆う大きさのほぼ方形をなす整流板７が、後ろ（図２中右側）下方に傾斜するようにして、かつ後端部を左右方向を向く枢軸８をもって、フード体２の後端部の左右の内側面に枢着することにより、上下方向に開閉しうるように取り付けられている。
【００１６】
整流板７の前後左右の外周端部には、左右及び前後方向を向く長孔状の２個ずつの吸気孔９が穿設されている。各吸気孔９の開口縁には、上向きの縁片１０が形成されている。整流板７の前後左右の端縁には、起立片１１が連設されている。
【００１７】
図１及び図３の断面図に示すように、整流板７における周端部を除いた部分には、前端部の左右両隅部付近と、後端部の左右方向の中央部とを結ぶ略Ｖ字状の線に向かって、その両側部を漸次下傾させることにより、整流板７の上面に、凹条溝１２が後端部に向かって略Ｖ字形をなして延びるように形成されている。整流板７の後端部における左右方向の中央部、すなわち、凹条溝１２の後端部付近には、油分等を回収する油分回収手段としての回収孔１３が穿設されている。
【００１８】
回収孔１３と対向する整流板７の下面には、油分等を回収するトレイ１４が、前端上部を整流板７の下面に固着したＬ字状の係止片１５に、かつ後端上部を後記する気流偏向板１６における垂下片２０の下端の前向き係止片に、それぞれ弾性的に係合させることにより、着脱可能に取り付けられている。
【００１９】
フード体２における解放部６の前後左右方向を向く上端には、吸入空気の流動方向である内方に向かって漸次下向きに傾斜する気流偏向板１６が、整流板７の各吸気孔９と対向するようにして固着され、気流偏向板１６の内端には、上面の中央部に通気孔１７を有する平面視四角形のインナーフード１８が一体的に連設されている。インナーフード１８は、斜め上方を向く傾斜板１９よりなり、その上端に形成された上記通気孔１７が、上記フード体２の通気孔３の形成部に固着されている。
【００２０】
各気流偏向板１６の外方の上端には、垂下片２０が連設され、上下寸法を大とした後部の垂下片２０の内方(前方)におけるフード体２内の左右の対向面に、整流板７の後端部が枢軸８により枢着されている。
【００２１】
図４に拡大して示すように、上下寸法を短寸とした前部と左右両側部の垂下片２０の下端には、斜め外上方を向く傾斜片２１が連設され、この傾斜片２１の上端の下面に、閉じた状態での整流板７の前端と両側端の起立片１１の上端が当接するようになっている。従って、垂下片２０の下端は、整流板７の外端部よりも内方の上面と対向し、垂下片２０の内面に付着した油分等が整流板７の上面に滴下するようになっている。
【００２２】
前部の傾斜片２１の上端には、さらに、垂下片２２が連設され、その下端の前向片２３の下面が、フード体２の前部の開放部６の上端に固着されている。なお、垂下片２２は、２点鎖線のように、整流板７を後端部を支点として下方に回動させたとき、起立片１１が干渉して回動不能とならないように、若干前方に傾斜させてある。
【００２３】
上記のように構成されたレンジフード１において、吸引ファン４を作動させると、整流板７の複数の吸気孔９より吸引された吸入空気は、まず気流偏向板１６の下面に衝突し、内方に向かって下向きに方向変換させられたのち、インナーフード１８における傾斜板１９の内面に沿って上昇し、通気孔１７より吸引ケース体５に流入して外部に排出される。この際に、吸入空気に含まれる油分等が、気流偏向板１６に付着して捕捉され、捕捉された油分等は、気流偏向板１６の傾斜下端より整流板７の上面に滴下する。各吸気孔９の開口部には、上向きの縁片１０を設けてあるので、整流板７の上面に滴下した油分等が吸気孔９に入り込む恐れはない。
【００２４】
気流偏向板１６の外方に流動した空気に含まれる油分等は、垂下片２０の内面に付着して捕捉され、その下端より整流板７の上面に滴下する。従って、油分等が傾斜片２１側に侵入することはなく、整流板７の外周部に油分が付着して、その開閉に支障を来すのが防止される。
【００２５】
整流板７の上面に滴下した油分等は、凹条溝１２に向かって流動し、これに沿って後方の回収孔１３に向かって流れて、トレイ１４により回収される。トレイ１４により回収された油分等は、それを定期的に取り外して適宜廃棄すればよい。
【００２６】
以上説明したように、フード体２の内部における気流偏向板１６の内端に、傾斜板１９よりなるインナーフード１８を連設したことにより、気流偏向板１６により捕捉し切れなかった油分等は、傾斜板１９の内面に付着するようになり、従来のように、フード体２の内面に付着するのが防止される。インナーフード１８の傾斜板１９に付着した油分等は、整流板７を開いて、下方より容易に清掃することができる。
【００２７】
しかも、気流偏向板１６とインナーフード１８の傾斜板１９とは連続し、一体的に成形されていることで、段差がなく、清掃作業がし易い。さらに、これら気流偏向板１６の下面とインナーフード１８の傾斜板１９の下面とが、開放部６の周囲に沿って環状に、かつ下方に突出するように形成されていることで、開放部６の下方からの拭き掃除等を容易に行うことができる。
【００２８】
図５は、気流偏向板１６の変形例を示すもので、下面を、凹凸部が吸入空気の流動方向と直交する方向を向く波形面２４としたものである。このようにすると、気流偏向板１６に衝突した吸入空気に含まれる油分等が、波形面２４により効果的に捕捉されるようになる。
【００２９】
以上、本発明の実施例を図面により説明してきたが、具体的な構成はこれら実施例に限られるものではなく、本発明の要旨を逸脱しない範囲における変更や追加があっても本発明に含まれる。
【００３０】
例えば、前記実施例では、気流偏向板１６とインナーフード１８とは連続し、一体的に成形されていたが、別部材にて形成されていてもよい。
【００３１】
また、前記実施例では、整流板７の外周部に複数の吸気孔９が形成され、各吸引孔９に対向するように気流偏向板１６が配設されていたが、吸引孔９は複数形成されるものだけでなく、例えば１つの長帯状の吸引孔９が整流板７の外周部に沿って連続して形成されてもよい。
【図面の簡単な説明】
【００３２】
【図１】本発明のレンジフードを斜め下方より見た斜視図である。
【図２】同じく、中央縦断拡大側面図である。
【図３】図２のIII-III線に沿う縦断正面図である。
【図４】図２のＡ部の拡大図である。
【図５】気流偏向板の変形例を示す断面図である。
【符号の説明】
【００３３】
１    フィルタレスレンジフード（レンジフード）
２    フード体
３    通気孔
４    吸引ファン(吸引手段)
６    解放部
７    整流板
９    吸気孔
１０  縁片
１１  起立片
１２  凹条溝
１３  回収孔
１４  トレイ（油分回収手段）
１６  気流偏向板
１７  通気孔
１８  インナーフード
１９  傾斜板
２０  垂下片
２１  傾斜片
２２  垂下片
２３  前向片
２４  波形面
【図１】
0005205076.tif 000002
【図２】
0005205076.tif 000003
【図３】
0005205076.tif 000004
【図４】
0005205076.tif 000005
【図５】
0005205076.tif 000006